(57)【特許請求の範囲】
【請求項１】
片口金光源のランプを包囲し、同ランプの光を下方に反射する主反射鏡、および、同ランプの光を所定の壁面に反射する補助反射鏡を有する二重反射鏡と、この二重反射鏡を包囲する器具本体とを設けたウォールウォッシャー型照明器具において、上記主反射鏡が反射する方向より上方の壁面へ向けて反射する補助反射鏡に同補助反射鏡で照射される照射面の照射領域の上端部を略水平に近づけるために形成された凹凸形状からなる微小反射面を設けたことを特徴とするウォールウォッシャー型照明器具。
【請求項２】
上記微小反射面が、上下方向に凹凸形状を設けられているものであり、上記補助反射鏡で照射される照射面の照射領域の上端部を左右方向に広げることで略水平に近づけるものであることを特徴とする請求項１記載のウォールウォッシャー型照明器具。
【請求項３】
上記微小反射面が、左右部分のみで左右方向に凹凸形状を設けられているものであり、上記補助反射鏡で照射される照射面の照射領域の左右端部での上端部を上方に広げることで略水平に近づけるものであることを特徴とする請求項１記載のウォールウォッシャー型照明器具。
【請求項４】
上記微小反射面が、左右部分のみで中央は狭い幅であり、側方は広い幅に徐変した左右方向の凹凸形状を設けられているものであり、上記補助反射鏡で照射される照射面の照射領域の左右端部での上端部を上方に広げることで略水平に近づけるものであることを特徴とする請求項３記載のウォールウォッシャー型照明器具。
【請求項５】
上記微小反射面が、左右部分は左右方向に凹凸形状を設けられているとともに、中央部分は上下方向に凹凸形状を設けられているものであり、上記補助反射鏡で照射される照射面の照射領域の左右端部での上端部を上方に広げるとともに、中央部分は左右方向に広げることで略水平に近づけるものであることを特徴とする請求項１記載のウォールウォッシャー型照明器具。
【発明の詳細な説明】
【０００１】
【発明の属する技術分野】
本発明は、ウォールウォッシャー型照明器具に関し、具体的には、ランプの光を所定の壁面に反射させるのに有用なウォールウォッシャー型照明器具に関するものである。
【０００２】
【従来の技術】
従来のウォールウォッシャー型照明器具としては、例えば、図１６に示すごとく、片口金光源のランプ（１）を包囲し、同ランプ（１）の光を下方に反射する主反射鏡（２）、および、同ランプ（１）の光を所定の側方などの壁面（５）に反射する補助反射鏡（３）を有する二重反射鏡（４）と、この二重反射鏡（４）を包囲する器具本体（６）とを備えていたものが知られていた。
【０００３】
そして、この種のウォールウォッシャー型照明器具においては、上記主反射鏡（２）で床面を照明すると同時に、上記補助反射鏡（３）で側方などの壁面（５）を照明していたものであった。
【０００４】
【発明が解決しようとする課題】
このようなウォールウォッシャー型照明器具において、建築物内部を均一な照度で照らす必要がある場合、例えば、エントランスホールなどにおいて、空間の明るさ感を出すためには、鉛直面である壁面（５）を重点的に照射することに重きを置くことになる上に、ランプ（１）や主反射鏡（２）もしくは補助反射鏡（３）のグレアカット角についても、深いものが要求されていたものであった。
【０００５】
しかしながら、このようなウォールウォッシャー型照明器具においては、壁際に配置した場合、図１７に示すごとく、壁面（５）にはスカラップとよばれる貝殻模様（１１）が現れるものであった。このスカラップとよばれる貝殻模様（１１）は、図１８に示すごとく、補助反射鏡（３）で照射される照射面の照射領域（１２）の上端部が略水平でないために生じていたものであった。ところが、エントランスホールなどの建築空間においては、上記壁面（５）に均斉度が高い光が求められており、このようなスカラップとよばれる貝殻模様（１１）が現れることに問題があった。
【０００６】
本発明は、上述の事実に鑑みてなされたものであって、その目的とするところは、スカラップとよばれる貝殻模様を確実に解消することができるウォールウォッシャー型照明器具を提供することにある。
【０００７】
【課題を解決するための手段】
本発明の請求項１に係るウォールウォッシャー型照明器具は、片口金光源のランプ（１）を包囲し、同ランプ（１）の光を下方に反射する主反射鏡（２）、および、同ランプ（１）の光を所定の側方の壁面（５）に反射する補助反射鏡（３）を有する二重反射鏡（４）と、この二重反射鏡（４）を包囲する器具本体（６）とを設けたウォールウォッシャー型照明器具において、上記主反射鏡（２）が反射する方向より上方の壁面（５）へ向けて反射する補助反射鏡（３）に同補助反射鏡（３）で照射される照射面の照射領域（１２）の上端部（１３）を略水平に近づけるために形成された凹凸形状からなる微小反射面（７）を設けたことを特徴とする。
【０００８】
本発明の請求項２に係るウォールウォッシャー型照明器具は、上記微小反射面（７）が、上下方向に凹凸形状を設けられているものであり、上記補助反射鏡（３）で照射される照射面の照射領域（１２）の上端部（１３）を左右方向に広げることで略水平に近づけるものであることを特徴とする。
【０００９】
本発明の請求項３に係るウォールウォッシャー型照明器具は、上記微小反射面（７）が、左右部分のみで左右方向に凹凸形状を設けられているものであり、上記補助反射鏡（３）で照射される照射面の照射領域（１２）の左右端部での上端部（１３）を上方に広げることで略水平に近づけるものであることを特徴とする。
【００１０】
本発明の請求項４に係るウォールウォッシャー型照明器具は、上記微小反射面（７）が、左右部分のみで中央は狭い幅であり、側方は広い幅に徐変した左右方向の凹凸形状を設けられているものであり、上記補助反射鏡（３）で照射される照射面の照射領域（１２）の左右端部での上端部（１３）を上方に広げることで略水平に近づけるものであることを特徴とする。
【００１１】
本発明の請求項５に係るウォールウォッシャー型照明器具は、上記微小反射面（７）が、左右部分は左右方向に凹凸形状を設けられているとともに、中央部分は上下方向に凹凸形状を設けられているものであり、上記補助反射鏡（３）で照射される照射面の照射領域（１２）の左右端部での上端部（１３）を上方に広げるとともに、中央部分は左右方向に広げることで略水平に近づけるものであることを特徴とする。
【００１２】
【発明の実施の形態】
以下、本発明を実施形態に係る図面に基づいて詳しく説明する。
【００１３】
図１の（ａ）は、本発明の第１の実施形態に係るウォールウォッシャー型照明器具を示した断面図であり、図１の（ｂ）は、同図１の（ａ）のウォールウォッシャー型照明器具の補助反射鏡を示した斜視図であり、図１の（ｃ）は、同図１の（ｂ）の補助反射鏡の断面図である。図２は、図１のウォールウォッシャー型照明器具において、補助反射鏡で照射される照射面の照射領域を示した概略図である。図３は、本発明の第２の実施形態に係るウォールウォッシャー型照明器具の補助反射鏡を示した斜視図である。図４は、図３の補助反射鏡の要部のみの斜視図である。図５は、図３および図４のウォールウォッシャー型照明器具において、補助反射鏡で照射される照射面の照射領域を示した概略図である。
【００１４】
また、図６は、本発明の第３の実施形態に係るウォールウォッシャー型照明器具を示した上面図である。図７は、本発明の第３の実施形態に係るウォールウォッシャー型照明器具を示した断面図である。図８は、本発明の第３の実施形態に係るウォールウォッシャー型照明器具において、壁面に光が照射されている様子を示した断面図である。図９の（ａ）は、本発明の第３の実施形態に係るウォールウォッシャー型照明器具の二重反射鏡を示した断面図であり、図９の（ｂ）は、同図９の（ａ）の二重反射鏡の平面図であり、図９の（ｃ）は、同図９の（ａ）の二重反射鏡の要部のみの断面図である。
【００１５】
そして、図１０の（ａ）は、本発明の第４の実施形態に係るウォールウォッシャー型照明器具の二重反射鏡を示した断面図であり、図１０の（ｂ）は、同図１０の（ａ）の二重反射鏡の平面図であり、図１０の（ｃ）は、同図１０の（ａ）の二重反射鏡の要部のみの断面図である。図１１は、本発明の第５の実施形態に係るウォールウォッシャー型照明器具の補助反射鏡を示した斜視図である。図１２は、図１１のウォールウォッシャー型照明器具において、補助反射鏡で照射される照射面の照射領域を示した概略図である。
【００１６】
さらに、図１３の（ａ）は、本発明の第６の実施形態に係るウォールウォッシャー型照明器具の二重反射鏡を示した断面図であり、図１３の（ｂ）は、同図１３の（ａ）の二重反射鏡の平面図である。図１４の（ａ）は、本発明の第７の実施形態に係るウォールウォッシャー型照明器具の補助反射鏡を示した斜視図であり、図１４の（ｂ）は、同図１４の（ａ）の補助反射鏡の要部のみの斜視図である。図１５は、図１４のウォールウォッシャー型照明器具において、補助反射鏡で照射される照射面の照射領域を示した概略図である。
【００１７】
本発明のウォールウォッシャー型照明器具は、図１ないし図１５に示すごとく、片口金光源のランプ（１）を包囲し、同ランプ（１）の光を下方に反射する主反射鏡（２）、および、同ランプ（１）の光を所定の側方の壁面（５）に反射する補助反射鏡（３）を有する二重反射鏡（４）と、この二重反射鏡（４）を包囲する器具本体（６）とを設けたウォールウォッシャー型照明器具において、上記補助反射鏡（３）に同補助反射鏡（３）で照射される照射面の照射領域（１２）の上端部（１３）を略水平に近づけるために形成された凹凸形状からなる微小反射面（７）を設けているものである。
【００１８】
上記ランプ（１）は、片口金光源といわれているものである。このランプ（１）を包囲して、同ランプ（１）の光を下方に反射する主反射鏡（２）を設けているものである。この主反射鏡（２）は、通常の照明器具などに使用されている反射鏡などが採用されているものである。この主反射鏡（２）により、床面を照明しているものである。
【００１９】
上記補助反射鏡（３）は、上記ランプ（１）の光を所定の側方の壁面（５）に反射しているものである。この補助反射鏡（３）は、上記主反射鏡（２）の場合と同様に、通常の照明器具などに使用されている反射鏡などが採用されているものである。この補助反射鏡（３）により、側方などの壁面（５）を照明しているものである。そして、この補助反射鏡（３）と上記主反射鏡（２）とより二重反射鏡（４）を形成しているものであり、同補助反射鏡（３）と同主反射鏡（２）とは、図１の（ａ）〜（ｃ）に示すごとく、別体に形成されていてもかまわないし、図６ないし図１０、図１３に示すごとく、一体に形成されているようなものであってもかまわないものである。
【００２０】
上記器具本体（６）は、上記二重反射鏡（４）を包囲しているものである。この器具本体（６）の形状やサイズとしては、同器具本体（６）内に納められる上記ランプ（１）の形状やサイズに応じて自由自在に設定することができるものである。
【００２１】
本発明では、上記補助反射鏡（３）に同補助反射鏡（３）で照射される照射面の照射領域（１２）の上端部（１３）を略水平に近づけるために形成された凹凸形状からなる微小反射面（７）を設けているものである。
【００２２】
本発明は、このような構成をとることによって、補助反射鏡（３）に設けられた凹凸形状からなる微小反射面（７）にて補助反射鏡（３）で照射される照射面の照射領域（１２）の上端部（１３）を略水平に近づけることができるものであり、その結果、スカラップとよばれる貝殻模様を確実に解消することができるものである。
【００２３】
そして、図１の（ａ）〜（ｃ）および図２に示すごとく、上記微小反射面（７）が、上下方向に凹凸形状を設けられているものであり、上記補助反射鏡（３）で照射される照射面の照射領域（１２）の上端部（１３）を左右方向に広げることで略水平に近づけるものであると、上下方向に凹凸形状を設けられている微小反射面（７）にて補助反射鏡（３）で照射される照射面の照射領域（１２）の上端部（１３）が図２の矢印（Ａ）に示すように左右方向に広がって、略水平に近づくものであり、その結果、スカラップとよばれる貝殻模様をより一層確実に解消することができるものである。
【００２４】
さらに、図３ないし図５に示すごとく、上記微小反射面（７）が、左右部分のみで左右方向に凹凸形状を設けられているものであり、上記補助反射鏡（３）で照射される照射面の照射領域（１２）の左右端部での上端部（１３）を上方に広げることで略水平に近づけるものであると、左右部分のみで左右方向に凹凸形状を設けられている微小反射面（７）にて補助反射鏡（３）で照射される照射面の照射領域（１２）の左右端部での上端部（１３）が図５の矢印（Ｂ）に示すように上方に広がって、略水平に近づくものであり、その結果、スカラップとよばれる貝殻模様をより一層確実に解消することができるものである。
【００２５】
特に、図１４の（ａ）、（ｂ）および図１５に示すごとく、上記微小反射面（７）が、左右部分のみで中央は狭い幅であり、側方は広い幅に徐変した左右方向の凹凸形状を設けられているものであり、上記補助反射鏡（３）で照射される照射面の照射領域（１２）の左右端部での上端部（１３）を上方に広げることで略水平に近づけるものであると、左右部分のみで中央は狭い幅であり、側方は広い幅に徐変した左右方向の凹凸形状を設けられている微小反射面（７）にて補助反射鏡（３）で照射される照射面の照射領域（１２）の左右端部での上端部（１３）が図１５の矢印（Ｃ）に示すように上方に広がって、略水平に近づくものであり、その結果、スカラップとよばれる貝殻模様をより一層確実に解消することができるものである。
【００２６】
そして、図１１および図１２に示すごとく、上記微小反射面（７）が、左右部分は左右方向に凹凸形状を設けられているとともに、中央部分は上下方向に凹凸形状を設けられているものであり、上記補助反射鏡（３）で照射される照射面の照射領域（１２）の左右端部での上端部（１３）を上方に広げるとともに、中央部分は左右方向に広げることで略水平に近づけるものであると、左右部分は左右方向に凹凸形状を設けられているとともに、中央部分は上下方向に凹凸形状を設けられている微小反射面（７）にて補助反射鏡（３）で照射される照射面の照射領域（１２）の左右端部での上端部（１３）が図１２の矢印（Ｂ）に示すように上方に広がるとともに、中央部分は同図１２の矢印（Ａ）に示すように左右方向に広がることで略水平に近づくものであり、その結果、スカラップとよばれる貝殻模様をより一層確実に解消することができるものである。
【００２７】
次に、各実施形態をそれぞれ図面と照らし合わせながら、さらに具体的にみてみる。
【００２８】
（実施形態１）
図１の（ａ）〜（ｃ）および図２に示すごとく、片口金光源のランプ（１）を配置し、このランプ（１）の周囲を主反射鏡（２）で覆うとともに、被照射面となる壁面（５）の対向側に補助反射鏡（３）を設けて用いるウォールウォッシャー型照明器具であり、上記補助反射鏡（３）に照射面の照射領域（１２）の上端部（１３）を略水平に近づけるための凹凸形状の微小反射面（７）を設けているものである。
【００２９】
そして、上記補助反射鏡（３）の微小反射面（７）は、上下方向に凹凸形状を設けて、照射面の照射領域（１２）の上端部（１３）を左右方向に広げて、略水平に近づけているものである。
【００３０】
（実施形態２）
図３ないし図５に示すごとく、片口金光源のランプ（１）を配置し、このランプ（１）の周囲を主反射鏡（２）で覆うとともに、被照射面となる壁面（５）の対向側に補助反射鏡（３）を設けて用いるウォールウォッシャー型照明器具であり、上記補助反射鏡（３）に照射面の照射領域（１２）の上端部（１３）を略水平に近づけるための凹凸形状の微小反射面（７）を設けているものである。
【００３１】
そして、上記補助反射鏡（３）の微小反射面（７）は、左右部分のみで左右方向に凹凸形状を設けて、照射面の照射領域（１２）の左右端部の上端部（１３）を上方に広げて、略水平に近づけているものである。
【００３２】
（実施形態３）
図６ないし図９に示すごとく、片口金光源のランプ（１）を配置し、このランプ（１）の周囲を主反射鏡（２）で覆い、被照射面となる壁面（５）の対向側に補助反射鏡（３）を設けて用いるウォールウォッシャー型照明器具であり、上記補助反射鏡（３）と上記主反射鏡（２）とは、一体に形成されているものであり、このような二重反射鏡（４）に照射面の照射領域（１２）の上端部（１３）を略水平に近づけるための凹凸形状の微小反射面（７）を設けているものである。
【００３３】
そして、上記微小反射面（７）は、照射領域（１２）の上端部（１３）へ照射するランプ（１）下部の上下方向に凹凸形状を設けて照射面の照射領域（１２）の上端部（１３）を左右方向に広げて、略水平に近づけているものである。
【００３４】
（実施形態４）
図１０の（ａ）ないし（ｃ）に示すごとく、片口金光源のランプ（１）を配置し、このランプ（１）の周囲を主反射鏡（２）で覆い、被照射面となる壁面（５）の対向側に補助反射鏡（３）を設けて用いるウォールウォッシャー型照明器具であり、上記補助反射鏡（３）と上記主反射鏡（２）とは、一体に形成されているものであり、このような二重反射鏡（４）に照射面の照射領域（１２）の上端部（１３）を略水平に近づけるための凹凸形状の微小反射面（７）を設けているものである。
【００３５】
そして、上記微小反射面（７）は、照射領域（１２）の上端部（１３）へ照射するランプ（１）下部の左右部分のみで左右方向に凹凸形状を設けて照射面の照射領域（１２）の左右端部の上端部（１３）を上方に広げて、略水平に近づけているものである。
【００３６】
（実施形態５）
図１１および図１２に示すごとく、片口金光源のランプ（１）を配置し、こののランプ（１）の周囲を主反射鏡（２）で覆うとともに、被照射面となる壁面（５）の対向側に補助反射鏡（３）を設けて用いるウォールウォッシャー型照明器具であって、上記補助反射鏡（３）に照射面の照射領域（１２）の上端部（１３）を略水平に近づけるための四凸形状の微小反射面（７）を設けているものである。
【００３７】
そして、上記補助反射鏡（３）の微小反射面（７）は、左右部分は左右方向に凹凸形状を設けて照射面の照射領域（１２）の左右端部の上端部（１３）を上方に広げて、中央部分は上下方向に凹凸形状を設けて照射面の照射領域（１２）の上端部（１３）を左右方向に広げて、略水平に近づけているものである。
【００３８】
（実施形態６）
図１３の（ａ）および（ｂ）に示すごとく、片口金光源のランプ（１）を配置し、このランプ（１）の周囲を主反射鏡（２）で覆い、被照射面となる壁面（５）の対向側に補助反射鏡（３）を設けて用いるウォールウォッシャー型照明器具であって、上記補助反射鏡（３）と上記主反射鏡（２）とは、一体に形成されているものであり、このような二重反射鏡（４）に照射面の照射領域（１２）の上端部（１３）を略水平に近づけるための凹凸形状の微小反射面（７）を設けているものである。
【００３９】
そして、上記微小反射面（７）は、照射領域（１２）の上端部（１３）へ照射するランプ（１）下部の、左右部分は左右方向に凹凸形状を設けて照射面の照射領域（１２）の左右端部の上端部（１３）を上方に広げて、中央部分は上下方向に凹凸形状を設けて照射面の照射領域（１２）の上端部（１３）を左右方向に広げて、略水平に近づけているものである。
【００４０】
（実施形態７）
図１４の（ａ）、（ｂ）および図１５に示すごとく、片口金光源のランプ（１）を配置し、このランプ（１）の周囲を主反射鏡で覆うとともに、被照射面となる壁面（５）の対向側に補助反射鏡（３）を設けて用いるウォールウォッシャー型照明器具であって、上記補助反射鏡（３）に照射面の照射領域（１２）の上端部（１３）を略水平に近づけるための凹凸形状の微小反射面（７）を設けているものである。
【００４１】
上記微小反射面（７）は、左右部分のみで中央は狭い幅で、側方は広い幅に徐変した左右方向の凹凸形状を設けて照射面の照射領域（１２）の左右端部の上端部（１３）を上方に徐変に広げて、略水平に近づけているものである。
【００４２】
本発明のウォールウォッシャー型照明器具によると、図１ないし図１６に示すごとく、片口金光源のランプ（１）を包囲し、同ランプ（１）の光を下方に反射する主反射鏡（２）、および、同ランプ（１）の光を所定の側方の壁面（５）に反射する補助反射鏡（３）を有する二重反射鏡（４）と、この二重反射鏡（４）を包囲する器具本体（６）とを設けたウォールウォッシャー型照明器具において、上記補助反射鏡（３）に同補助反射鏡（３）で照射される照射面の照射領域（１２）の上端部（１３）を略水平に近づけるために形成された凹凸形状からなる微小反射面（７）を設けたので、補助反射鏡（３）に設けられた凹凸形状からなる微小反射面（７）にて補助反射鏡（３）で照射される照射面の照射領域（１２）の上端部（１３）を略水平に近づけることができるものであり、その結果、スカラップとよばれる貝殻模様を確実に解消することができるものである。
【００４３】
【発明の効果】
本発明の請求項１に係るウォールウォッシャー型照明器具によると、補助反射鏡（３）に設けられた凹凸形状からなる微小反射面（７）にて補助反射鏡（３）で照射される照射面の照射領域（１２）の上端部（１３）を略水平に近づけることができるものであり、その結果、スカラップとよばれる貝殻模様を確実に解消することができるものである。
【００４４】
本発明の請求項２に係るウォールウォッシャー型照明器具によると、請求項１記載の場合に加えて、上下方向に凹凸形状を設けられている微小反射面（７）にて補助反射鏡（３）で照射される照射面の照射領域（１２）の上端部（１３）が左右方向に広がって、略水平に近づくものであり、その結果、スカラップとよばれる貝殻模様をより一層確実に解消することができるものである。
【００４５】
本発明の請求項３に係るウォールウォッシャー型照明器具によると、請求項１記載の場合に加えて、左右部分のみで左右方向に凹凸形状を設けられている微小反射面（７）にて補助反射鏡（３）で照射される照射面の照射領域（１２）の左右端部での上端部（１３）が上方に広がって、略水平に近づくものであり、その結果、スカラップとよばれる貝殻模様をより一層確実に解消することができるものである。
【００４６】
本発明の請求項４に係るウォールウォッシャー型照明器具によると、請求項３記載の場合に加えて、左右部分のみで中央は狭い幅であり、側方は広い幅に徐変した左右方向の凹凸形状を設けられている微小反射面（７）にて補助反射鏡（３）で照射される照射面の照射領域（１２）の左右端部での上端部（１３）が上方に広がって、略水平に近づくものであり、その結果、スカラップとよばれる貝殻模様をより一層確実に解消することができるものである。
【００４７】
本発明の請求項５に係るウォールウォッシャー型照明器具によると、請求項１記載の場合に加えて、左右部分は左右方向に凹凸形状を設けられているとともに、中央部分は上下方向に凹凸形状を設けられている微小反射面（７）にて補助反射鏡（３）で照射される照射面の照射領域（１２）の左右端部での上端部（１３）が上方に広がるとともに、中央部分は左右方向に広がることで略水平に近づくものであり、その結果、スカラップとよばれる貝殻模様をより一層確実に解消することができるものである。
【図面の簡単な説明】
【図１】（ａ）は、本発明の第１の実施形態に係るウォールウォッシャー型照明器具を示した断面図であり、（ｂ）は、（ａ）のウォールウォッシャー型照明器具の補助反射鏡を示した斜視図であり、（ｃ）は、（ｂ）の補助反射鏡の断面図である。
【図２】図１のウォールウォッシャー型照明器具において、補助反射鏡で照射される照射面の照射領域を示した概略図である。
【図３】本発明の第２の実施形態に係るウォールウォッシャー型照明器具の補助反射鏡を示した斜視図である。
【図４】図３の補助反射鏡の要部のみの斜視図である。
【図５】図３および図４のウォールウォッシャー型照明器具において、補助反射鏡で照射される照射面の照射領域を示した概略図である。
【図６】本発明の第３の実施形態に係るウォールウォッシャー型照明器具を示した上面図である。
【図７】本発明の第３の実施形態に係るウォールウォッシャー型照明器具を示した断面図である。
【図８】本発明の第３の実施形態に係るウォールウォッシャー型照明器具において、壁面に光が照射されている様子を示した断面図である。
【図９】（ａ）は、本発明の第３の実施形態に係るウォールウォッシャー型照明器具の二重反射鏡を示した断面図であり、（ｂ）は、（ａ）の二重反射鏡の平面図であり、（ｃ）は、（ａ）の二重反射鏡の要部のみの断面図である。
【図１０】（ａ）は、本発明の第４の実施形態に係るウォールウォッシャー型照明器具の二重反射鏡を示した断面図であり、（ｂ）は、（ａ）の二重反射鏡の平面図であり、（ｃ）は、（ａ）の二重反射鏡の要部のみの断面図である。
【図１１】本発明の第５の実施形態に係るウォールウォッシャー型照明器具の補助反射鏡を示した斜視図である。
【図１２】図１１のウォールウォッシャー型照明器具において、補助反射鏡で照射される照射面の照射領域を示した概略図である。
【図１３】（ａ）は、本発明の第６の実施形態に係るウォールウォッシャー型照明器具の二重反射鏡を示した断面図であり、（ｂ）は、（ａ）の二重反射鏡の平面図である。
【図１４】（ａ）は、本発明の第７の実施形態に係るウォールウォッシャー型照明器具の補助反射鏡を示した斜視図であり、（ｂ）は、（ａ）の補助反射鏡の要部のみの斜視図である。
【図１５】図１４のウォールウォッシャー型照明器具において、補助反射鏡で照射される照射面の照射領域を示した概略図である。
【図１６】一従来例に係るウォールウォッシャー型照明器具において、壁面に光が照射されている様子を示した断面図である。
【図１７】図１６のウォールウォッシャー型照明器具において、壁面に光が照射されている様子を示した要部のみの概略図である。
【図１８】一従来例に係るウォールウォッシャー型照明器具において、補助反射鏡で照射される照射面の照射領域を示した概略図である。
【符号の説明】
１    ランプ
２    主反射鏡
３    補助反射鏡
４    二重反射鏡
５    壁面
６    器具本体
７    微小反射面
１２  照射領域
１３  上端部
【図１】
0004042344.tif 000002
【図２】
0004042344.tif 000003
【図３】
0004042344.tif 000004
【図４】
0004042344.tif 000005
【図５】
0004042344.tif 000006
【図６】
0004042344.tif 000007
【図７】
0004042344.tif 000008
【図８】
0004042344.tif 000009
【図９】
0004042344.tif 000010
【図１０】
0004042344.tif 000011
【図１１】
0004042344.tif 000012
【図１２】
0004042344.tif 000013
【図１３】
0004042344.tif 000014
【図１４】
0004042344.tif 000015
【図１５】
0004042344.tif 000016
【図１６】
0004042344.tif 000017
【図１７】
0004042344.tif 000018
【図１８】
0004042344.tif 000019